(57)【要約】      （修正有）【課題】社内情報などの通知やｅ−ラーニングなどの社内教育などの情報を、クライアント端末を使用する利用者が使用する日に毎日接することができる情報処理システムを提供する。【解決手段】情報処理システムは、データベースサーバ００１と、管理サーバ００２と、第１クライアント端末００３と、第２クライアント端末００４とを含む。第１クライアント端末を立ち上げると、所定の電子教育を実行する画面および／または所定の情報を提示する画面が示される。第１クライアント端末は、所定の電子教育を実行したことおよび／または所定の情報が確認されたことを検知すると、管理サーバに所定の電子教育が実行されたことを通知し、第１クライアント端末は、通常のデスクトップに変わる。【選択図】図１
2019074955.tif 000002
【特許請求の範囲】
【請求項１】
利用者が使用する第１クライアント端末と、
利用者を登録する第２クライアント端末と、
前記第１クライアント端末に提供する所定の電子教育に関するデータおよび／または所定の情報に関するデータを備えるデータベースサーバと、
前記第１クライアント端末と、前記第２クライアント端末と、前記データベースサーバと相互に通信可能に接続され、前記第１クライアント端末において所定の電子教育が実行されたか否か、および／または所定の情報が確認されたか否かを管理する管理サーバとを備え、
前記第１クライアント端末は、前記第１クライアント端末を立ち上げると、所定の電子教育を実行する画面および／または所定の情報を提示する画面が示され、所定の電子教育を実行したことおよび／または所定の情報が確認されたことを検知すると、前記管理サーバに所定の電子教育が実行されたことを通知し、
前記第１クライアント端末は、通常のデスクトップに変わるように構成されている、情報処理システム。
【請求項２】
前記所定の電子教育を実行する画面および／または所定の情報を提示する画面は、1日で最初に第１クライアント端末を立ち上げる場合に表示される、請求項1に記載の情報処理システム。
【請求項３】
各種データの管理を行う管理サーバと、
前記管理サーバに提供するデータを備えるデータベースサーバと、
前記データを利用するために前記管理サーバと相互に連結可能に接続された第１クライアント端末とを備え、
前記管理サーバは、
前記第１クライアント端末が立ち上げられたことを検知する検知手段と、
前記第１クライアント端末に提供する所定の電子教育に関するデータおよび／または所定の情報に関するデータの提供を前記データベースサーバに要求するデータ提供要求手段と、
前記第１クライアント端末に所定の電子教育に関するデータおよび／または所定の情報に関するデータを提供するデータ提供手段と、
前記第１クライアント端末が所定の電子教育を実施したことおよび／または所定の情報を確認したことを受信する受信手段とを備え、
前記第１クライアント端末は、
前記第１クライアント端末が立ち上げられたことを前記管理サーバに通知する通知手段と、
通常のデスクトップを表示せずに、所定の電子教育を実行する画面および／または所定の情報を提示する画面を表示する表示手段と、
前記管理サーバから提供された所定の電子教育を実施したことおよび／または所定の情報を確認したことを送信する送信手段と
通常のデスクトップに変わるようにレジストリを書き換えるレジストリ書換手段とを備えて、構成される情報処理システム。
【請求項４】
第１クライアント端末によって利用されるデータの管理を行う管理サーバを構成するコンピュータによって実行されるプログラムであって、
第１クライアント端末が立ち上げられたことを検知し、
前記第１クライアント端末に提供する所定の電子教育に関するデータおよび／または所定の情報に関するデータの提供を前記データベースサーバに要求し、
前記第１クライアント端末に所定の電子教育に関するデータおよび／または所定の情報に関するデータを提供し、
前記第１クライアント端末が通常のデスクトップを表示せずに、所定の電子教育に関するデータおよび／または所定の情報を表示し、
前記第１クライアント端末が所定の電子教育を実施したことおよび／または所定の情報を確認したことを受信し、
前記第１クライアント端末が通常のデスクトップを表示する受信手段として前記コンピュータを機能させる、プログラム。
【発明の詳細な説明】
【技術分野】
【０００１】
本発明は、使用者が負担を感じずに情報などを提供されることができる情報処理システム、教育システムおよびプログラムに関するものである。
【背景技術】
【０００２】
一般に企業などで社員（ユーザ）に情報を提供するシステムにおいては、社内情報などの通知やｅ−ラーニングなどの社内教育などの情報を、パーソナルコンピュータなどのクライアント端末を介して提供される。
【０００３】
このような情報処理システムにおいては、例えば、利用者が自発的に所定の処理としてのｅラーニング（電子教育）による社員教育などを実行するように利用者の意志や意識に働きかける機能を実現・提供できるようにして、上記所定の処理を確実にかつ徹底して行なえるシステム環境を提供することを目的とした、情報処理システムが提供されている（例えば、特許文献１）
【先行技術文献】
【特許文献】
【０００４】
【特許文献１】特開２００８−６５８４８号公報
【発明の概要】
【発明が解決しようとする課題】
【０００５】
しかし、特許文献１に記載の方法では、利用者が自発的に所定の処理を実行する。利用者の自発的によるため、利用者の都合により、所定の処理が実行されない場合がある。このため、特許文献１に記載の方法においては、管理サーバが利用者のクライアント端末から電子教育の完了通知を受信していない場合に、クライアント端末に所定の電子教育が完了していない旨を表示させ、所定の電子教育を利用者に強制実行させる構成を有する。
【０００６】
すなわち、特許文献１に記載の方法では、利用者が十分に自発的に所定の処理を実行することはできない。また、社内情報などの通知やｅ−ラーニングなどの社内教育などの情報は、クライアント端末を使用する利用者が使用する日に毎日接することが好ましい。毎日接することにより、いわゆる「単純接触効果」を生じ、情報の周知、学習効果の向上などの効果が得られる。このためには、端末の立ち上げ時に所定のプログラムを自動的に実行させて、利用者に社内情報などの通知やｅ−ラーニングなどの社内教育などの情報の処理を強制的に行わせることが考えられる。
【０００７】
しかし、所定のプログラムを立ち上げるためには所定の時間を要するため、利用者に大きなストレスを与えることになり、このような方法を採用しにくいという問題がある。また、端末の立ち上げるたびに所定のプログラムを自動的に実行するとすれば、１日に何度も所定のプログラムが実行されるので、利用者に大きなストレスを与えるという問題がある。
【課題を解決するための手段】
【０００８】
本発明は、以下のとおりである。
本発明は、利用者が使用する第１クライアント端末と、利用者を登録する第２クライアント端末と、前記第１クライアント端末に提供する所定の電子教育に関するデータおよび／または所定の情報に関するデータを備えるデータベースサーバと、前記第１クライアント端末と、前記第２クライアント端末と、前記データベースサーバと相互に通信可能に接続され、前記第１クライアント端末において所定の電子教育が実行されたか否か、および／または所定の情報が確認されたか否かを管理する管理サーバとを備え、前記第１クライアント端末は、前記第１クライアント端末を立ち上げると、所定の電子教育を実行する画面および／または所定の情報を提示する画面が示され、所定の電子教育を実行したことおよび／または所定の情報が確認されたことを検知すると、前記管理サーバに所定の電子教育が実行されたことを通知し、前記第１クライアント端末は、通常のデスクトップに変わるように構成されている、情報処理システムである。
【０００９】
通常、コンピュータなどのクライアント端末を立ち上げると、立ち上げ画面が表示される。本発明においては、立ち上げ画面が表示されずに、所定の電子教育を実行する画面および／または所定の情報を提示する画面が表示される。この結果、所定の電子教育を実行する画面および／または所定の情報を提示する画面が表示されるまでの時間が短縮できるので、利用者がストレスを感じずに、所定の電子教育を実行することができ、所定の情報に接することができる。所定の電子教育を実行した後、または所定の情報に接した後には、通常のデスクトップに書き換えられる。
【００１０】
また、本発明においては、前記所定の電子教育を実行する画面および／または所定の情報を提示する画面は、1日で最初に第１クライアント端末を立ち上げる場合に表示される。
【００１１】
１日のうち、クライアント端末を立ち上げるたびに、前記所定の電子教育を実行する画面および／または所定の情報を提示する画面が表示されることは、利用者にストレスを与える。そこで、1日で最初に第１クライアント端末を立ち上げる場合にのみ、クライアント端末を立ち上げるたびに、前記所定の電子教育を実行する画面および／または所定の情報を提示する画面を表示することにより、利用者にストレスを与ずに、電子教育を実行し、情報を提供できる。
【００１２】
また、各種データの管理を行う管理サーバと、前記管理サーバに提供するデータを備えるデータベースサーバと、前記データを利用するために前記管理サーバと相互に連結可能に接続された第１クライアント端末とを備え、前記管理サーバは、前記第１クライアント端末が立ち上げられたことを検知する検知手段と、前記第１クライアント端末に提供する所定の電子教育に関するデータおよび／または所定の情報に関するデータの提供を前記データベースサーバに要求するデータ提供要求手段と、前記第１クライアント端末に所定の電子教育に関するデータおよび／または所定の情報に関するデータを提供するデータ提供手段と、前記第１クライアント端末が所定の電子教育を実施したことおよび／または所定の情報を確認したことを受信する受信手段とを備え、前記第１クライアント端末は、前記第１クライアント端末が立ち上げられたことを前記管理サーバに通知する通知手段と、通常のデスクトップを表示せずに、所定の電子教育を実行する画面および／または所定の情報を提示する画面を表示する表示手段と、前記管理サーバから提供された所定の電子教育を実施したことおよび／または所定の情報を確認したことを送信する送信手段と通常のデスクトップに変わるようにレジストリを書き換えるレジストリ書換手段とを備えて、構成される情報処理システムである。
【００１３】
さらに、本発明は、第１クライアント端末によって利用されるデータの管理を行う管理サーバを構成するコンピュータによって実行されるプログラムであって、第１クライアント端末が立ち上げられたことを検知し、前記第１クライアント端末に提供する所定の電子教育に関するデータおよび／または所定の情報に関するデータの提供を前記データベースサーバに要求し、前記第１クライアント端末に所定の電子教育に関するデータおよび／または所定の情報に関するデータを提供し、前記第１クライアント端末が通常のデスクトップを表示せずに、所定の電子教育に関するデータおよび／または所定の情報を表示し、前記第１クライアント端末が所定の電子教育を実施したことおよび／または所定の情報を確認したことを受信し、前記第１クライアント端末が通常のデスクトップを表示する受信手段として前記コンピュータを機能させる、プログラムである。
【発明の効果】
【００１４】
本発明の情報処理システムは、立ち上げ画面が表示されずに、所定の電子教育を実行する画面および／または所定の情報を提示する画面が表示される。この結果、所定の電子教育を実行する画面および／または所定の情報を提示する画面が表示されるまでの時間が短縮できるので、利用者がストレスを感じずに、所定の電子教育を実行することができ、所定の情報に接することができる。
また、毎日所定の電子教育を実行じ、または所定の情報に接することができるので、単純接触効果により、情報の周知、学習効果の向上などの効果が得られる。
【図面の簡単な説明】
【００１５】
【図１】本発明の情報処理システムの例示的な実施構成例を示したブロック図である。
【図２】情報処理システムの処理の一例を示すフローチャートである。
【図３】情報処理教育システムの解説画面の一例を示す図である。
【図４】問題画面の一例を示す図である。
【図５】解答採点結果画面の一例を示す図である。
【発明を実施するための形態】
【００１６】
以下に、本発明の情報処理システムの実施形態について、図面を参照しながら説明する。なお、以下の説明において、本発明の情報処理システムを教育システムとして使用する場合を一例として説明するが、教育システムとしての使用に限られない。
【００１７】
図１は、本発明の情報処理システムの例示的な実施構成例を示したブロック図である。図１において、本発明の情報処理システムは、データベースサーバ００１と、管理サーバ００２と、第１クライアント端末００３と、第２クライアント端末００４とを含む。これらは、相互に通信可能に接続されている。図１の例では、第１クライアント端末００３と第２クライアント端末００４とは、インターネットを介してデータベースサーバ００１と管理サーバ００２とに接続されているが、ＬＡＮ（Ｌｏｃａｌ  Ａｒｅａ  Ｎｅｔｗｏｒｋ）など、公知のネットワークを介して接続されていてもよい。
【００１８】
クライアント端末は、通常企業などで業務などを行う際に社員（使用者）によって用いられるパーソナルコンピュータ（ＰＣ）などの情報処理装置である。第１クライアント端末００１は、利用者が使用するクライアント端末であり、後述する通知手段と送信手段としての機能を有する。第２クライアント端末００４は、企業内の管理者などが利用者を登録するためのクライアント端末である。なお、第１クライアント端末００１と第２クライアント端末００４は、それぞれ、単一であっても、複数であってもよい。
【００１９】
データベースサーバ００１は、所定の電子教育に関するデータ、所定の情報に関するデータなどを蓄積する。所定の電子教育に関するデータは、利用者に提供する問題、利用者からの回答データなどを含む。所定の情報に関するデータは、問題に関連する解説、利用者に周知させたい情報、アンケートなどを含む。所定の電子教育に関するデータや所定の情報に関するデータはこれらに限定されず、スケジュール管理などの、利用者に提供される任意のデータを蓄積することができる。データベースサーバ００１は、ハードディスクなどの記憶装置によって構成される。
【００２０】
管理サーバ００２は、所定の電子教育が実行されたか否か、および／または所定の情報が確認されたか否かを管理する。また、管理サーバ００２は、利用者に提供する問題の選択、利用者が回答した正誤の判断、正答率など、問題や回答を処理する。なお、データベースサーバ００１と管理サーバ００２は、それぞれ別個に独立していてもよく、同一のサーバであってもよい。
【００２１】
本発明において、第１クライアント端末を立ち上げると、通常のＰＣの通常のデスクトップではなく、所定の電子教育を実行する画面および／または所定の情報を提示する画面が示されることが本発明の最大の特徴である。これは、クライアント端末を立ち上げる際にレジストリを、本件の情報処理システムの実行ファイルに書き換えることにより、行われる。例えば、クライアント端末としてＷｉｎｄｏｗｓ（登録商標）を用いる場合は、書き換えられるレジストリは、（HKEY_CURRENT_USER\SOFTWARE\Microsoft\WindowsNT\CurrentVersion\Winlogon\Shell）である。なお、以下においては、Ｗｉｎｄｏｗｓ（登録商標）を用いる場合に基づいて説明するが、他のＯＳにおいて同等の機能を有するレジストリに対しても、同様である。
【００２２】
本発明の情報処理システムは、第２クライアント端末から情報処理システムを使用する第１クライアント端末００３を管理サーバ００２に登録して、第１クライアント端末００３で所定のプログラムを実行させることによって機能する。
【００２３】
次に、本発明の情報処理システムの処理の流れを、図２に示すフローチャートを用いて説明する。なお、以下の例においては、情報セキュリティに対応した教育システムの例として説明するが、情報セキュリティに限定されるものではなく、他の教育システムや情報提供システムとしても、同様に用いられる。ここでの利用者は、情報セキュリティの教育対象者である。
【００２４】
ステップＳ１において、教育対象者は第１クライアント端末００３の電源スイッチを入れて、第１クライアント端末００３を起動する。第１クライアント端末００３を起動すると、オペレーティングシステムによりログオン画面が表示される。
【００２５】
ステップＳ２において、ログインを実行する。ログインに失敗すると、ステップＳ３において、再度ログインを行う。第１クライアント端末００３は、通知手段により、第１クライアント端末００３が立ち上げられたことを管理サーバ００２に通知する。一方、ログインされたかどうかは、管理サーバ００２の検知手段により検知される。ログインに成功すると、ステップＳ４において、本発明の情報処理システムが起動する。
【００２６】
ステップＳ５において、本発明の情報処理システムが起動したかどうかを確認する。起動が確認されると、ステップＳ６に進み、起動に失敗すると、ステップＳ２２１８に進む。
【００２７】
ステップＳ６において、教育対象者の識別番号を第２クライアント端末００４に請求する。教育対象者の識別番号は、企業内の管理者などが第２クライアント端末００４に利用者を登録することによって発行されている。また、本例においては、識別番号は、ＳＩＤ（Ｓｅｃｕｒｉｔｙ  Ｉｄｅｎｔｉｆｉｅｒ）である。識別番号としては、公知の識別番号を使用することができる。
【００２８】
ステップＳ７において、第２クライアント端末００４は、ＳＩＤを第１クライアント端末００３の本発明の情報処理システムのソフトウェアに通知する。ステップＳ８において、取得したＳＩＤを管理サーバ００２に送信する。管理サーバ００２は、教育対象者を特定する。
【００２９】
ステップＳ９において、管理サーバ００２は教育対象者を特定できたか否かを判断する。管理サーバ００２が、教育対象者を特定できた場合はＳ１０に進み、特定できなかった場合はステップＳ２２１８に進む。
【００３０】
ステップＳ１０において、管理サーバ００２は、データベースサーバ００１に特定した教育対象者の解答履歴を確認する。ステップＳ１１において、管理サーバ００２は、確認した教育対象者の解答履歴から当該教育対象者が当日既に回答済みであるかどうかを判断する。当該教育対象者が当日既に回答済みである場合には、ステップＳ１９に進み、解答されていない場合は、ステップＳ１２に進む。なお、管理サーバ００２は、データ提供要求手段により、第１クライアント端００３末に提供する所定の電子教育に関するデータおよび／または所定の情報に関するデータの提供をデータベースサーバ００１に要求する。
【００３１】
ステップＳ１２において、第１クライアント端末００３は、データベースサーバ００１から、当日に回答する問題とこれに関連のある説明を受信し、第１クライアント端末００３のディスプレイ上には、図３に示すような説明が表示される。管理サーバ００２は、データ提供手段により第１クライアント端末００３に所定の電子教育に関するデータおよび／または所定の情報に関するデータを提供する。第１クライアント端末００３は、表示手段により、通常のデスクトップを表示せずに、所定の電子教育を実行する画面および／または所定の情報を提示する画面を表示する。
【００３２】
ステップＳ１３において、当該教育対象者は説明を閲覧し、自分のタイミングで説明の下欄にある「確認問題へ」ボタンを押す。自分のタイミングで押すことにより、時間に余裕がある場合や内容を確認する必要がある場合には、説明を丁寧に閲覧することができる。一方、時間に余裕がない場合や内容が容易である場合は、説明の閲覧を省略することもできる。なお、説明の表示は、必須ではなく、説明がない場合も可能である。
【００３３】
ステップＳ１４において、第１クライアント端末００３のディスプレイ上には、図４に示すような確認問題が表示される。ステップＳ１５において、確認問題のいずれかの枝に回答し、「解答する」ボタンを押す。確認問題は、選択問題形式で提供される。
【００３４】
第１クライアント端末００３は、送信手段により、管理サーバ００２から提供された所定の電子教育を実施したことおよび／または所定の情報を確認したことを送信する。管理サーバ００３は、受信手段により、第１クライアント端末が所定の電子教育を実施したことおよび／または所定の情報を確認したことを受信する。
【００３５】
ステップＳ１６において、教育対象者が「解答する」ボタンを押すと、管理サーバ００２において、解答の正誤が判断される。ステップＳ１７において、管理サーバ００２は、解答の正解・不正解、説明の閲覧時間、問題の解答時間などの回答ログを取得し、データベースサーバ００１に保存する。
【００３６】
（その他の形態）
上記のステップに加え、本発明は、ステップＳ１８〜ステップ２１さらに以下のを含むことができる。これらのステップは、必ずしも含むことが必須ではなく、ステップ１７から直接ステップＳ２３に進んでもよい。
【００３７】
（その他の形態）
本発明は、上記のステップに加え、ステップＳ１８〜ステップ２１を含むことができる。これらのステップは、必ずしも含むことが必須ではなく、ステップ１７から直接ステップＳ２３に進んでもよい。
【００３８】
ステップＳ１８において、第１クライアント端末００３のディスプレイ上には、図５に示すようなステップＳ１６の正誤判断結果と説明画面を再表示させるかの選択肢が表示される。
【００３９】
ステップＳ１９において、教育対象者は説明画面を再度表示させるか否かを判断する。教育対象者が、「はい」ボタンを押せばＳ２０に進み、「いいえ」ボタンを押せばステップＳ２３に進む。
【００４０】
ステップＳ２０においては、ステップＳ１２の際に受信しておいた説明を第１クライアント端末００３のディスプレイ上には、図３に示すような説明として再表示する。この際、説明の下欄にあるボタンの表記は「確認完了」に表示を変更している。
【００４１】
ステップＳ２１においては、ステップＳ１３と同様でに、説明の下欄の「確認完了」ボタンを押すことでＳ２３へ進む。
【００４２】
ステップＳ２２において、管理サーバ００２は、システムの起動や個人認証などにおいて生じた予期しないエラーをエラーログとして取得する。
【００４３】
ステップＳ２３において、本システムは、第１クライアント端末００３のデスクトップを通常デスクトップに戻すためにレジストリ
（HKEY_CURRENT_USER\SOFTWARE\Microsoft\WindowsNT\CurrentVersion\Winlogon\Shell）をexplorer.exeに書き換えを行う。また、同日に２度以上第１クライアント端末００３を起動した場合に、通常デスクトップが表示される。さらに、予期しないエラーが生じた場合にも、通常デスクトップが表示される。第１クライアント端末００３は、レジストリ書換手段により、通常のデスクトップに変わるようにレジストリを書き換える。
【００４４】
ステップＳ２４において、上記レジストリの書き換えに加えて、userinit.exeを起動させることにより、通常デスクトップを起動させる。ステップＳ２５においては、次のステップでuserinit.exe内のレジストリを書き換えるため、userinit.exeが終了するまで待機する。
【００４５】
ステップＳ２６において、後日に、第１クライアント端末００３を起動する際に、ステップＳ２のログイン後、通常デスクトップを表示させず本開発システムのみを実行させるようにレジストリ（HKEY_CURRENT_USER\SOFTWARE\Microsoft\WindowsNT\CurrentVersion\Winlogon\Shell）を本開発システムの実行ファイルに書き換えを行う。
【００４６】
上記した実施形態では、日によって、本発明の情報処理システムの実行スケジュールを決めたが、これに限定されず、特定の日付など自由に設定することができる。
【００４７】
上述した通知手段、表示手段、送信手段、およびレジストリ書換手段としての機能（全部または一部の機能）は、第１クライアント端末００３として機能するコンピュータ（ＣＰＵ，情報処理装置，各種端末を含む）が所定のアプリケーションプログラムを実行することによって実現されるとともに、同様に、上述した検知手段、データ提供要求手段、データ提供手段、および受信手段としての機能（全部または一部の機能）は、管理サーバ００２として機能するコンピュータ（ＣＰＵ，情報処理装置，各種端末を含む）が所定のアプリケーションプログラム（制御プログラムファイル２１１の内容を含む）を実行することによって実現される。
【００４８】
そのアプリケーションプログラムは、例えばフレキシブルディスク，ＣＤ（ＣＤ−ＲＯＭ，ＣＤ−Ｒ，ＣＤ−ＲＷなど），ＤＶＤ（ＤＶＤ−ＲＯＭ，ＤＶＤ−ＲＡＭ，ＤＶＤ−Ｒ，ＤＶＤ−ＲＷ，ＤＶＤ＋Ｒ，ＤＶＤ＋ＲＷなど）等のコンピュータ読取可能な記録媒体に記録された形態で提供される。この場合、コンピュータはその記録媒体からアプリケーションプログラムを読み取って内部記憶装置または外部記憶装置に転送し格納して用いる。また、そのアプリケーションプログラムを、例えば磁気ディスク，光ディスク，光磁気ディスク等の記憶装置（記録媒体）に記録しておき、その記憶装置から通信回線を介してコンピュータに提供するようにしてもよい
【００４９】
ここで、コンピュータとは、ハードウエアとＯＳ（オペレーティングシステム）とを含む概念であり、ＯＳの制御の下で動作するハードウエアを意味している。また、ＯＳが不要でアプリケーションプログラム単独でハードウェアを動作させるような場合には、そのハードウェア自体がコンピュータに相当する。ハードウエアは、少なくとも、ＣＰＵ等のマイクロプロセッサと、記録媒体に記録されたコンピュータプログラムを読み取るための手段とをそなえている。上記所定のアプリケーションプログラムは、上述したクライアント端末や管理ファイルサーバ００２として機能するコンピュータに、通知手段、表示手段、送信手段、レジストリ書換手段、検知手段、データ提供要求手段、データ提供手段、および受信手段としての機能を実現させるプログラムコードを含んでいる。また、その機能の一部は、アプリケーションプログラムではなくＯＳによって実現されてもよい。
【００５０】
さらに、本実施形態における記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭ，ＲＯＭ等のメモリ），外部記憶装置等や、バーコードなどの符号が印刷された印刷物等の、コンピュータ読取可能な種々の媒体を利用することもできる。
【符号の説明】
【００５１】
００１  データベースサーバ    
００２  管理サーバ
００３  第１クライアント端末
００４  第２クライアント端末
【図１】
2019074955.tif 000003
【図２】
2019074955.tif 000004
【図３】
2019074955.tif 000005
【図４】
2019074955.tif 000006
【図５】
2019074955.tif 000007